(57)【要約】      （修正有）【課題】特にものの汚損を防止できる靴カバーを提供する。【解決手段】第一本体１０及び第二本体２０を有し、第一本体は、一側に第一支持面１２が形成される第一板体１１と、第一支持面から突出するように第一板体の周縁に設けられる第一壁部１３と、第一板体に設置される第一係合部材１４とを備え、第二本体は、第一本体に着脱可能に組み合わされると共に、一側に第二支持面２２が形成される第二板体２１と、第二支持面から突出するように第二板体の周縁に設けられる第二壁部２３と、第二板体に設置される第二係合部材２４とを備え、この構成によれば、一対の靴をそれぞれ第一支持面及び第二支持面に合わせて保持する時、靴が第一本体及び第二本体によりカバーされることから、荷物に入れても他のものを汚すことはなく、使用していない時、第一本体を第二本体に組み合わせると、第一支持面が第二支持面に合わされると共に、第一係合部材が第二係合部材に係合されることにより、一対の靴カバーを収納することができる。【選択図】図１
0003216969.tif 000002
【実用新案登録請求の範囲】
【請求項１】
一側に第一支持面が形成される第一板体と、該第一支持面から突出するように第一板体の周縁に設けられる第一壁部と、該第一板体に設置される第一係合部材とを備える、第一本体及び、
前記第一本体に着脱可能に組み合わされると共に、一側に第二支持面が形成される第二板体と、該第二支持面から突出するように第二板体の周縁に設けられる第二壁部と、該第二板体に設置される第二係合部材とを備える、第二本体を有し、
そのうち、第一本体を第二本体に組み合わせると、第一支持面が第二支持面に合わされると共に、第一係合部材が第二係合部材に係合されることを特徴とする一対の靴カバー。
【請求項２】
前記第一壁部が第一板体の一端周縁に設けられ、
前記第一係合部材が第一支持面における第一板体の他端近傍に設けられ、該第一係合部材に係合穴が形成され、
前記第二壁部が第二板体の一端の周縁に設けられ、
前記第二係合部材が第二支持面における第二板体の他端近傍に設けられ、該第二係合部材に掛け部が設置され、該掛け部の上部に掛け穴が形成され、該掛け穴の底面に受け穴が形成され、該受け穴が掛け穴と連通し、
前記第一係合部材を第二係合部材の掛け穴に嵌め込むと、該第一係合部材が第二係合部材に係合されることを特徴とする請求項１に記載の一対の靴カバー。
【請求項３】
前記第一壁部が第一板体の先端周縁に設けられ、
前記第一係合部材は、第一ベルトと、第一オス部と、第一メス部を備え、該第一ベルトの一端が第一板体に連接され、該第一オス部が第一ベルトの他端に設置され、該第一メス部が第一板体における、第一支持面と反対する一側に設置され、該第一ベルトと第一メス部が第一板体の両側に配置され、
前記第二壁部が第二板体の一端周縁に設けられ、
前記第二係合部材は、第二ベルトと、第二オス部と、第二メス部を備え、該第二ベルトの一端が第二板体に連接され、該第二オス部が第二ベルトの他端に設置され、該第二メス部が第二板体における、第二支持面と反対する一側に設置され、該第二ベルトと第二メス部が第二板体の両側に配置されることを特徴とする請求項１に記載の一対の靴カバー。
【請求項４】
前記第一オス部が着脱可能に第二メス部に係合されると共に、前記第二オス部が着脱可能に第一メス部に係合されることにより、前記第一本体を第二本体に組み合わせることを特徴とする請求項３に記載の一対の靴カバー。
【請求項５】
前記第一壁部が第一板体の一端周縁に設けられ、該第一壁部の端面に第一結合部が設けられ、
前記第一係合部材が第一支持面における、第一板体の他端近傍に設けられ、該第一係合部材の端面に第一係合部が設けられ、
前記第二壁部が第二板体の一端に設けられ、該第二壁部の端面に第二結合部が設けられ、
前記第二係合部材が第二支持面における、第二板体の他端近傍に設けられ、該第二係合部材の端面に第二係合部が設けられ、
前記第一係合部材の第一係合部が第二係合部材の第二係合部に係合されると共に、前記第一壁部の第一結合部が第二壁部の第二結合部に係合されることにより、前記第一本体を第二本体に組み合わせることを特徴とする請求項１に記載の一対の靴カバー。
【請求項６】
前記第一壁部の第一結合部及び第二壁部の第二結合部がフックであり、
前記第一係合部材の第一係合部及び第二係合部材の第二係合部がフックであることを特徴とする請求項５に記載の一対の靴カバー。
【請求項７】
前記第一本体は、第一横方向壁部を備え、該第一横方向壁部が第一板体に横方向に延出すると共に、両端が第一壁部と連接するように設けられ、
前記第二本体は、第二横方向壁部を備え、該第二横方向壁部が第二板体に横方向に延出すると共に、両端が第二壁部と連接するように設けられることを特徴とする請求項１乃至６の何れか１に記載の一対の靴カバー。
【請求項８】
前記第一係合部材が第一壁部に設置される磁性部材であり、
前記第二係合部材が第二壁部に設置される磁性部材であり、
前記第二壁部が磁性により第一壁部に吸着されることを特徴とする請求項１に記載の一対の靴カバー。
【請求項９】
一側に第一支持面が形成される第一板体と、該第一支持面から突出するように第一板体の周縁に設けられる第一壁部と、該第一壁部に設けられる第一係合部材とを備える、第一本体及び、
前記第一本体に着脱可能に組み合わされると共に、一側に第二支持面が形成される第二板体と、該第二支持面から突出するように第二板体の周縁に設けられる第二壁部と、該第二壁部設置される第二係合部材とを備える、第二本体を有し、
そのうち、第一本体を第二本体に組み合わせると、第一支持面が第二支持面に合わされると共に、第一係合部材が第二係合部材に係合されることを特徴とする一対の靴カバー。
【請求項１０】
前記第一壁部が第一板体の周縁に延設され、
前記第一係合部材が第一壁部の端面に設けられ、
前記第二壁部が第二板体の周縁に延設され、
前記第二係合部材が第二壁部の端面に設けられることを特徴とする請求項９に記載の一対の靴カバー。
【請求項１１】
前記第一壁部及び第二壁部が軟質材料からなり、
前記第一係合部材及び第二係合部材が弾性材料からなることを特徴とする請求項１０に記載の一対の靴カバー。
【請求項１２】
前記第一壁部が第一板体の周縁に延設され、
前記第一係合部材が第一壁部の内面に設置され、
前記第二壁部が第二板体の周縁に延設され、
前記第二係合部材が第二壁部の内面に設置されることを特徴とする請求項１１に記載の一対の靴カバー。
【請求項１３】
前記第一壁部及び第二壁部が弾性材料からなり、
前記第一係合部材及び第二係合部材が滑り止め材料からなることを特徴とする請求項１２に記載の一対の靴カバー。
【請求項１４】
前記第一壁部の端面に第一結合部が設けられ、
前記第二壁部の端面に第二結合部が設けられ、
前記第一壁部の第一結合部が第二壁部の第二結合部に係合されることにより、前記第一本体を第二本体に組み合わせることを特徴とする請求項１３に記載の一対の靴カバー。
【請求項１５】
前記第一結合部及び第二結合部がフックであることを特徴とする請求項１４に記載の一対の靴カバー。
【請求項１６】
前記第一壁部の端面に第一結合部が設けられ、
前記第二壁部の端面に第二結合部が設けられ、
前記第一壁部の第一結合部が第二壁部の第二結合部に係合されることにより、前記第一本体を第二本体に組み合わせることを特徴とする請求項１２に記載の一対の靴カバー。
【請求項１７】
前記第一結合部及び第二結合部がフックであることを特徴とする請求項１６に記載の一対の靴カバー。
【請求項１８】
前記第一係合部材が第一壁部に設置される磁性部材であり、
前記第二係合部材が第二壁部に設置される磁性部材であり、
前記第二壁部が磁性により第一壁部に吸着されることを特徴とする請求項９に記載の一対の靴カバー。
【考案の詳細な説明】
【技術分野】
【０００１】
本考案は特に、ものの汚損を防止する靴カバーに関するものである。
【背景技術】
【０００２】
旅行中は、様々な状況に対応するために、ウォーキングシューズや、レザーシューズ、ハイヒールなど、さまざまな種類の靴を用意する必要があるが、靴を荷物として収納する場合、別の荷物と接触すると、別のものを汚する虞があることから、靴を袋に入れてから収納する必要があった。また、他の靴に履き替える時は、まず靴を袋から取り出して、使用済みの靴をその袋に入れて収納することができるが、使用済みの靴が袋を汚してしまうという問題があった。
【考案の概要】
【考案が解決しようとする課題】
【０００３】
上述したように、靴を荷物に収納する場合は、使用済みの靴が荷物の中の他のものを汚してしまうという問題があることから、使用済みの靴を袋に入れて綺麗な状態で保持することはできるが、靴のソールが袋の内部を汚してしまうという問題があるので、使用上非常に不便であった。
【課題を解決するための手段】
【０００４】
本考案に係る一対の靴カバーは、第一本体及び第二本体を有し、該第一本体は、一側に第一支持面が形成される第一板体と、該第一支持面から突出するように第一板体の周縁に設けられる第一壁部と、該第一板体に設置される第一係合部材とを備え、該第二本体は、第一本体に着脱可能に組み合わされると共に、一側に第二支持面が形成される第二板体と、該第二支持面から突出するように第二板体の周縁に設けられる第二壁部と、該第二板体に設置される第二係合部材とを備え、そのうち、第一本体を第二本体に組み合わせると、第一支持面が第二支持面に合わされると共に、第一係合部材が第二係合部材に係合される。
【考案の効果】
【０００５】
本考案に係る一対の靴カバーは、前記の構成を有することから、使用する場合、一対の靴をそれぞれ、第一支持面及び第二支持面に合わせて保持するように、第一本体及び第二本体に組み合わせることにより、靴が第一本体及び第二本体によりカバーされることから、荷物に入れても他のものを汚すことはなく、また、靴を第一本体及び第二本体から取り外す時は、第一支持面と第二支持面とが互いに面するように収納されていることから、汚れた第一支持面及び第二支持面が露出することはないので、他の荷物を汚すこともない。
【図面の簡単な説明】
【０００６】
【図１】本考案に係る第一実施例の上面図である。
【図２】図１における第一本体の側面図である。
【図３】本考案の第一実施例において、靴を第一本体に組み合せた状態を示す側面図である。
【図４】本考案の第一実施例において、第一支持面及び第二支持面が汚れた状態を示す上面図である。
【図５】本考案の第一実施例において、第一本体と第二本体とが組み合わされた状態を示す側面図である。
【図６】本考案に係る第二実施例の上面図である。
【図７】本考案に係る第三実施例の上面図である。
【図８】本考案の第三実施例において、靴を第一本体に組み合せた状態を示す側面図である。
【図９】本考案の第三実施例において、第一本体と第二本体とが組み合わされた状態を示す側面図である。
【図１０】本考案に係る第四実施例の上面図である。
【図１１】本考案の第四実施例において、靴を第一本体に組み合せた状態を示す側面図である。
【図１２】本考案の第四実施例において、第一本体と第二本体とが組み合わされた操作を示す側面図である。
【図１３】本考案に係る第五実施例の上面図である。
【図１４】本考案の第五実施例において、靴を第一本体に組み合せた状態を示す側面図である。
【図１５】本考案の第五実施例において、第一本体と第二本体とが組み合わされた操作を示す側面図である。
【図１６】本考案の第六実施例において、第一本体と第二本体とが組み合わされた操作を示す側面図である。
【図１６Ａ】図１６の部分拡大図である。
【図１７】本考案の第七実施例において、第一本体と第二本体とが組み合わされた操作を示す側面図である。
【図１７Ａ】図１７の部分拡大図である。
【図１７Ｂ】図１７の他の部分拡大図である。
【図１８】本考案の第八実施例において、第一本体と第二本体とが組み合わされた操作を示す側面図である。
【図１８Ａ】図１８の部分拡大図である。
【図１９】本考案の第九実施例において、第一本体と第二本体とが組み合わされた操作を示す側面図である。
【考案を実施するための形態】
【０００７】
図１に示すように、本考案に係る一対の靴カバーは、第一本体１０及び第二本体２０を有する。
【０００８】
図１及び図２に示すように、前記第一本体１０は、第一板体１１と、第一壁部１３と、第一係合部材１４を備え、該第一板体１１の一側に第一支持面１２が形成され、該第一壁部１３は、第一支持面１２から突出するように第一板体１１の周縁に設けられ、該第一係合部材１４は、第一板体１１に設置される。
【０００９】
前記第二本体２０は、第一本体１０に着脱可能に組み合わされ、第二板体２１と、第二壁部２３と、第二係合部材２４を備え、該第二板体２１の一側に第二支持面２２が形成され、該第二壁部２３は、第二支持面２２から突出するように第二板体２１の周縁に設けられ、該第二係合部材２４は、第二板体２１に設置される。また、前記第一本体１０を第二本体２０に組み合わせると、第一支持面１２が第二支持面２２に合わされると共に、第一係合部材１４が第二係合部材２４に係合される。
【００１０】
図３乃至図５に示すように、本考案に係る一対の靴カバーにおける第一壁部１３は、Ｖ字形またはＵ字形を呈し、第一板体１１の先端周縁に設けられる。前記第一係合部材１４は、第一支持面１２における第一板体１１の後端近傍に設置され、該第一係合部材１４に係合穴１５が形成される。前記第二壁部２３は、Ｖ字形またはＵ字形を呈し、第二板体２１の先端周縁に設けられる。前記第二係合部材２４は、第二支持面２２における第二板体２１の後端近傍に設置され、該第二係合部材２４に掛け部２５が形成され、該掛け部２５は、掛け穴２５１及び受け穴２５２を備え、該掛け穴２５１は、掛け部２５の上部に凹設され、該受け穴２５２は、掛け穴２５１と連通するように掛け穴２５１の底面に凹設される。
【００１１】
図６に示すように、本考案の第二実施例における第一本体１０Ａはさらに、第一横方向壁部１６を備え、該第一横方向壁部１６は、第一板体１１Ａに横方向に延出すると共に、両端が第一壁部１３Ａと連接するように設けられる。第二本体２０Ａは、第二横方向壁部２６を備え、該第二横方向壁部２６は、第二板体２１Ａに横方向に延出すると共に、両端が第二壁部２３Ａと連接するように設けられる。
【００１２】
図７及び図８に示すように、本考案の第三実施例における第一本体１０Ｂの第一壁部１３Ｂは、第一板体１１Ｂの先端周縁に設けられる。第一係合部材１４Ｂは、第一ベルト１４１と、第一オス部１４２と、第一メス部１４３を備え、該第一ベルト１４１の一端が第一板体１１Ｂと連接され、該第一オス部１４２は、第一ベルト１４１の他端に設置され、該第一メス部１４３は、第一板体１１Ｂにおける、第一支持面１２Ｂと反対する一側に設置され、該第一ベルト１４１と第一メス部１４３は、第一板体１１Ｂの両側に配置され、該第一オス部１４２は、着脱可能に第一メス部１４３に係合される。
【００１３】
本実施例における第二本体２０Ｂの第二壁部２３Ｂは、第二板体２１Ｂの先端周縁に設けられ、第二係合部材２４Ｂは、第二ベルト２４１と、第二オス部２４２と、第二メス部２４３を備え、該第二ベルト２４１の一端は第二板体２１Ｂと連接され、該第二オス部２４２は第二ベルト２４１の他端に設置され、該第二メス部２４３は、第二板体２１Ｂにおける、第二支持面２２Ｂと反対する一側に設置され、該第二ベルト２４１と第二メス部２４３は、第二板体２１Ｂの両側に配置され、該第二オス部２４２は、第二メス部２４３に着脱可能に係合される。尚、本実施例における第一本体１０Ｂ及び第二本体２０Ｂは、図６に示すように、第一横方向壁部１６及び第二横方向壁部２６を備えてもよい。
【００１４】
また、前記第一本体１０Ｂを第二本体２０Ｂに組み合わすと、第一オス部１４２が第二メス部２４３に係合されると共に、第二オス部２４２が第一メス部１４３に係合される。前記第一オス部１４２と第二オス部２４２及び第一メス部１４３と第二メス部２４３は、ボタンまたは粘着ストラップまたはフックとループからなる面ファスナーであってもよい。
【００１５】
図１０及び図１３に示すように、本考案の第四実施例及び第五実施例における、第一本体１０Ｃ、１０Ｄの第一係合部材１４Ｃ、１４Ｄは、第一壁部１３Ｃ、１３Ｄに設置され、第二本体２０Ｃ、２０Ｄの第二係合部材２４Ｃ、２４Ｄは、第二壁部２３Ｃ、２３Ｄに設置される。また、図１０乃至図１２に示すように、第四実施例における第一壁部１３Ｃは、第一板体１１Ｃの周縁に延設され、第二壁部２３Ｃは、第二板体２１Ｃの周縁に延設される。
【００１６】
前記第一係合部材１４Ｃは、第一壁部１３Ｃの周縁に設置され、第二係合部材２４Ｃは、第二壁部２３Ｃの周縁に設置される。尚、前記第一壁部１３Ｃ及び第二壁部２３Ｃは、布などの軟質材料からなり、前記第一係合部材１４Ｃ及び第二係合部材２４Ｃは、弾性材料からなることが好ましい。
【００１７】
図１３乃至図１５に示すように、第五実施例における第一本体１０Ｄの第一壁部１３Ｄは、第一板体１１Ｄの周縁に延設され、第二本体２０Ｄの第二壁部２３Ｄは、第二板体２１Ｄの周縁に延設される。第一係合部材１４Ｄは、第一壁部１３Ｄの内面に形成され、第二係合部材２４Ｄは、第二壁部２３Ｄの内面に形成される。
【００１８】
一方、前記第一壁部１３Ｄ及び第二壁部２３Ｄは、弾性材料からなり、第一係合部材１４Ｄ及び第二係合部材２４Ｄは、滑り止めプラスチックや、布などの滑り止め材料からなることが好ましく、この滑り止め材料は、ポリエチレン（ＰＥ）や、ポリプロピレン（ＰＰ）、スチレンアクリロニトリル樹脂（ＳＡＮ）、アクリロニトリルブタジエンスチレン（ＡＢＳ）、ポリ塩化ビニル（ＰＶＣ）の何れかの１つである。
【００１９】
図１６及び図１６Ａに示すように、第六実施例における、第一本体１０Ｅの第一壁部１３Ｅの端面に第一結合部１３１が設けられ、第二本体２０Ｅの第二壁部２３Ｅの端面に第二結合部２３１が設けられる。前記第一結合部１３１は凸部であり、前記第二結合部２３１は凹部であり、該第一結合部１３１の凸部は、第二結合部２３１の凹部に係合される。尚、前記第一結合部１３１Ｂ及び第二結合部２３１Ｂは、図１８及び図１８Ａに示すように、互いに係合するフックであってもよい。
【００２０】
図１７に示すように、第七実施例における第一本体１０Ｆの第一壁部１３Ｆは、第一板体１１Ｆの先端周縁に設けられ、該第一壁部１３Ｆの端面に第一結合部１３１Ａが設けられ、該第一結合部１３１Ａは凸部である。第一係合部材１４Ｆは、第一支持面１２Ｆにおける第一板体１１Ｆの後端近傍に設けられ、該第一係合部材１４Ｆの端面に第一係合部１８が設けられる。
【００２１】
また、本実施例においては、第二本体２０Ｆの第二壁部２３Ｆが第二板体２１Ｆの先端周縁に設けられ、該第二壁部２３Ｆの端面に第二結合部２３１Ａが設けられ、該第二結合部２３１Ａは凹部である。第二係合部材２４Ｆは、第二支持面２２Ｆにおける第二板体２１Ｆの後端近傍に設置され、該第二係合部材２４Ｆの端面に第二係合部２８が設けられ、該第二係合部２８は凹部であり、前記第二係合部材２４Ｆの第二係合部２８の凹部に第一係合部１８の凸部が挿入するように係合される。尚、本実施例における、第一係合部１８及び第二係合部２８は、図１８に示すように、フックであってもよく、第一壁部１３Ｆ及び第二壁部２３Ｆは、図６に示すように、第一横方向壁部１６及び第二横方向壁部２６を備えてもよい。
【００２２】
図１９に示すように、第九実施例における第一係合部材１４Ｇは、第一壁部１３Ｇに設置される磁性部材であり、第二係合部材２４Ｇは、第二壁部２３Ｇに設置される磁性部材である。
【００２３】
図３乃至図５に示すように、本考案の第一実施例を使用する場合は、一対のハイヒール３０をそれぞれ、第一支持面１２及び第二支持面２２に接触して保持するように、第一本体１０及び第二本体２０に組み合わせて、ヒール３１を介して第一係合部材１４の係合穴１５及び第二係合部材２４の受け穴２５２に挿設する。これにより、前記ハイヒール３０は、第一本体１０及び第二本体２０によりカバーされるので、ハイヒール３０を荷物として収納しても、他のものを汚すことはない。
【００２４】
一方、前記一対のハイヒール３０を第一本体１０及び第二本体２０から取り外す場合は、第一支持面１２と第二支持面２２が汚くなっているため、第一本体１０の第一支持面１２を第二本体２０の第二支持面２２に合わせるように収納する。この時、第一係合部材１４は、第二係合部材２４の掛け穴２５１に挿入され、掛け穴２５１の底部に当接することから、第一係合部材１４と第二係合部材２４との係合関係により、第一本体１０と第二本体２０とを組み合せることができる。この構成によれば、前記第一本体１０の第一支持面１２は、第二本体２０の第二支持面２２と面するように組み合わされることから、汚れた第一支持面１２及び第二支持面２２が露出することはないので、他のものを汚すことはない。
【００２５】
図７乃至図９に示すように、本考案の第三実施例を使用する場合は、ハイヒール３０を第一支持面１２Ｂに合わせるように第一本体１０Ｂに組み合わせ、第一ベルト１４１がハイヒール３０を巻いて第一オス部１４２により第一メス部１４３に係合される。これによれば、ハイヒール３０をしっかりと第一本体１０Ｂに固定することができると共に、もう一つのハイヒール３０は、第二ベルト２４１により第二本体２０Ｂに固定することができ、一方、第一オス部１４２及び第二オス部２４２を第一メス部１４３及び第二メス部２４３から取り外すと、ハイヒール３０をそれぞれ第一本体１０Ｂ及び第二本体２０Ｂから取り外すことができる。
【００２６】
上述したように、ハイヒール３０を第一本体１０Ｂ及び第二本体２０Ｂから取り外すと、第一本体１０Ｂの第一支持面１２Ｂが第二本体２０Ｂの第二支持面２２Ｂに面するように、第二壁部２３Ｂが第一壁部１３Ｂの内面に合せるように入り、第一ベルト１４１が第二本体２０Ｂを巻いて第一オス部１４２により第二メス部２４３に係合されると共に、第二ベルト２４１が第一本体１０Ｂを巻いて第二オス部２４２により第一メス部１４３に係合される。これによれば、第一本体１０Ｂの第一支持面１２Ｂが第二本体２０Ｂの第二支持面２２Ｂに面するように組み合わされることから、汚れた第一支持面１２Ｂ及び第二支持面２２Ｂが露出することはないので、他のものを汚すことはない。
【００２７】
図１０乃至図１２に示すように、第四実施例では、第一壁部１３Ｃ及び第二壁部２３Ｃがそれぞれ、伸縮可能な構造であることから、スニーカー４０のソール４１をカバーするように、１対のスニーカー４０を収納することができるので、スニーカー４０のソール４１が他のものと接触して汚すことはない。
【００２８】
スニーカー４０を第一本体１０Ｃ及び第二本体２０Ｃから取り外すと、第一本体１０Ｃの第一壁部１３Ｃが折り返されて第一支持面１２Ｃが露出し、そして、第一支持面１２Ｃが第二本体２０Ｃの第二支持面２２Ｃに面するように、第一本体１０Ｃを折り返し、第一支持面１２Ｃを第二支持面２２Ｃと接触させ、第二壁部２３Ｃを広く引っ張って第一本体１０Ｃを内部に収納する。これによれば、汚れた第一支持面１２Ｃと第二支持面２２Ｃを、第一本体１０Ｃと第二本体２０Ｃの間に位置させることができるので、他のものと接触して汚れることはない。
【００２９】
図１３乃至図１５に示すように、第五実施例では、一対のフラットシューズ５０のソール５１をそれぞれ、第一壁部１３Ｄ及び第二壁部２３Ｄの内部に入れれば、第一支持面１２Ｄ及び第二支持面２２Ｄと接触するように第一本体１０Ｄ及び第二本体２０Ｄに収納することができることから、前記一対のフラットシューズ５０は、第一壁部１３Ｄ及び第二壁部２３Ｄにカバーされることから、フラットシューズ５０のソール５１で他のものを汚すことはない。
【００３０】
前記フラットシューズ５０を第一壁部１３Ｄ及び第二壁部２３Ｄから取り外す時、第一本体１０Ｄは、第一支持面１２Ｄが第二支持面２２Ｄに面するように第二本体２０Ｄをカバーし、第一壁部１３Ｄを広く引っ張ることにより、第二本体２０Ｄの第二壁部２３Ｄを第一本体１０Ｄの第一壁部１３Ｄの内部に収納する。この時、第一本体１０Ｄは、第一係合部材１４Ｄを介して第二本体２０Ｄと接触する。該第一係合部材１４Ｄは、滑り止め材料からなることから、該第一係合部材１４Ｄの摩擦力により、第一本体１０Ｄを第二本体２０Ｄに組み合わせることができる。これによれば、第一支持面１２Ｄ及び第二支持面２２Ｄが第一本体１０Ｄ及び第二本体２０Ｄの間に保持されるので、他のものを汚すことはない。
【００３１】
また、図１６及び図１６Ａに示すように、第一本体１０Ｅを第二本体２０Ｅに組み合わされる場合は、第一結合部１３１を第二結合部２３１に係合させ、該第一結合部１３１を第二結合部２３１に係合させると、第一支持面１２Ｅ及び第二支持面２２Ｅが第一本体１０Ｅと第二板体２１Ｅとの間に保持されるので、第一本体１０Ｅを第二本体２０Ｅに組み合わせることができる。
【００３２】
図１７、図１７Ａ、図１７Ｂに示すように、第一本体１０Ｆを第二本体２０Ｆに組み合わせる場合は、第一結合部１３１Ａを第二結合部２３１Ａに係合させると共に、第一係合部１８を第二係合部２８に係合させる。上述した第一結合部１３１Ａと第二結合部２３１Ａとの係合関係及び第一係合部１８と第二係合部２８との係合関係により、第一支持面１２Ｆ及び第二支持面２２Ｆが第一本体１０Ｆと第二本体２０Ｆとの間に保持するように、第一本体１０Ｆを第二本体２０Ｆに組み合わせることができる。
【００３３】
本考案に係る一対の靴カバーを使用する場合は、第一本体１０の第一支持面１２及び第二本体２０の第二支持面２２が靴のソールと接触するように保持できることから、第一本体１０及び第二本体２０により靴をカバーしてスーツケースに入れた時、靴のソールが他のものを汚すことはない。また、靴カバーを使用していない場合には、第一支持面１２及び第二支持面２２が第一本体１０と第二本体２０との間に保持するように、第一本体１０と第二本体２０が組み合わされて収納されることから、靴のソールが他のものを汚すことはない。
【００３４】
また、図１９に示すように、第一本体１０Ｇを第二本体２０Ｇに組み合わされる場合は、第一壁部１３Ｇを広く引っ張って第二壁部２３Ｇを内部に収容すると共に、第一係合部材１４Ｇ及び第二係合部材２４Ｇの磁性により、第一本体１０Ｇ及び第二本体２０Ｇをしっかりと吸着させて固定することができる。
【符号の説明】
【００３５】
１０ 第一本体
１１ 第一板体
１２ 第一支持面
１３ 第一壁部
１３１ 第一結合部
１４ 第一係合部材
１４１ 第一ベルト
１４２ 第一オス部
１４３ 第一メス部
１５ 係合穴
１６ 第一横方向壁部
１８ 第一係合部
２０ 第二本体
２１ 第二板体
２２ 第二支持面
２３ 第二壁部
２３１ 第二結合部
２４ 第二係合部材
２４１ 第二ベルト
２４２ 第二オス部
２４３ 第二メス部
２５ 掛け部
２５１ 掛け穴
２５２ 受け穴
２６ 第二横方向壁部
２８ 第二係合部
【図１】
0003216969.tif 000003
【図２】
0003216969.tif 000004
【図３】
0003216969.tif 000005
【図４】
0003216969.tif 000006
【図５】
0003216969.tif 000007
【図６】
0003216969.tif 000008
【図７】
0003216969.tif 000009
【図８】
0003216969.tif 000010
【図９】
0003216969.tif 000011
【図１０】
0003216969.tif 000012
【図１１】
0003216969.tif 000013
【図１２】
0003216969.tif 000014
【図１３】
0003216969.tif 000015
【図１４】
0003216969.tif 000016
【図１５】
0003216969.tif 000017
【図１６】
0003216969.tif 000018
【図１６Ａ】
0003216969.tif 000019
【図１７】
0003216969.tif 000020
【図１７Ａ】
0003216969.tif 000021
【図１７Ｂ】
0003216969.tif 000022
【図１８】
0003216969.tif 000023
【図１８Ａ】
0003216969.tif 000024
【図１９】
0003216969.tif 000025